(57)【要約】【課題】直管形ＬＥＤランプと照明器具とを正しい組み合わせで正常に使用できる照明器具を提供する。【解決手段】直管形ＬＥＤランプ16の全長を、相当する直管形蛍光ランプの管長より短く、相当する直管形蛍光ランプの次に短い種類の直管形蛍光ランプの管長より長くする。照明器具11の一対のソケット14にアダプタ15を取り付ける。一対のソケット14間には、アダプタ15を介して直管形ＬＥＤランプ16を接続可能とし、直管形蛍光ランプは寸法的に接続できない。直管形ＬＥＤランプ16は、直管形蛍光ランプを使用する照明器具の一対のソケット間には寸法的に直接接続できない。直管形ＬＥＤランプ16と照明器具11とを正しい組み合わせで使用し、専用電源17により効率よく直管形ＬＥＤランプ16を点灯させる。【選択図】図１
2011108376.tif 000002
【特許請求の範囲】
【請求項１】
半導体発光素子を有する直管形に形成され、その管軸方向の全長が、直管形蛍光ランプ１１０Ｗ形相当の場合には２３６７ｍｍ未満、１５００ｍｍ以上の範囲内にあり、直管形蛍光ランプ４０Ｗ形相当の場合には１１９８ｍｍ未満、１０００ｍｍ以上の範囲内にあり、直管形蛍光ランプ２０Ｗ形相当の場合には５８０ｍｍ未満、４３６ｍｍ以上の範囲内にある
ことを特徴とする光源。
【請求項２】
請求項１記載の光源と；
一対の光源取付手段を有し、一対の光源取付手段間に光源が接続される器具本体と；
一対の光源取付手段間に接続された光源の半導体発光素子を点灯させる専用電源と；
を具備していることを特徴とする照明器具。
【請求項３】
器具本体に配設された一対のソケットのうち、少なくとも一方のソケットに取り付けられるアダプタと；
半導体発光素子を有し、一対のソケット間にアダプタを介して接続される直管形の光源と；
一対のソケット間にアダプタを介して接続された光源の半導体発光素子を点灯させる専用電源と；
を具備していることを特徴とする照明器具。
【請求項４】
アダプタは、ソケットに対して取り外し不可とする状態に取り付けられている
ことを特徴とする請求項３記載の照明器具。
【請求項５】
光源は、受電部、および受電部に供給される交流電力を直流電力に変換して半導体発光素子に供給する直流回路を有し、
専用電源は、光源以外に配置されて交流電力を光源の受電部に供給する
ことを特徴とする請求項２ないし４いずれか一記載の照明器具。
【発明の詳細な説明】
【技術分野】
【０００１】
本発明は、半導体発光素子を有する直管形の光源および照明器具に関する。
【背景技術】
【０００２】
一般に、照明用として、直管形蛍光ランプを用いた照明器具が多く使用されている。
【０００３】
また、最近では、直管形蛍光ランプに代替可能な光源として、半導体発光素子であるＬＥＤを用いたＬＥＤランプが提案されている。このＬＥＤランプは、直管形蛍光ランプと同じ管長とされ、その両端には直管形蛍光ランプと同じランプピンが突設されており、直管形蛍光ランプ用の照明器具に配設された一対のソケット間に接続可能としている。さらに、このＬＥＤランプには、整流回路が内蔵され、直管形蛍光ランプ用の安定器からソケットを通じて供給される交流電力を整流回路で直流電力に変換してＬＥＤに供給し、ＬＥＤを点灯させるようにしている（例えば、特許文献１参照。）。
【先行技術文献】
【特許文献】
【０００４】
【特許文献１】特許第３９６５４１９号公報（第１０−１４頁、図１−６）
【発明の概要】
【発明が解決しようとする課題】
【０００５】
従来、直管形蛍光ランプ用の照明器具に接続し、点灯できるＬＥＤランプが提案されているが、直管形蛍光ランプ用の安定器を電源として用いるため、電気的損失が増大し、ＬＥＤランプを効率よく点灯させることができない。
【０００６】
そこで、直管形蛍光ランプ用の照明器具の器具本体、反射体およびソケットなどの器具構造はそのまま流用し、ＬＥＤランプ用を効率よく点灯させることができる専用電源、およびこの専用電源と組み合わされる専用ＬＥＤランプを用いることが考えられる。
【０００７】
しかしながら、器具構造をそのまま流用した場合、一対のソケット間には直管形蛍光ランプも専用ＬＥＤランプも接続できてしまうことになる。そのため、専用ＬＥＤランプが直管形蛍光ランプ用の安定器を用いた照明器具に接続されたり、あるいは、専用電源を用いた照明器具に直管形蛍光ランプが接続されてしまう可能性があり、正しい組み合わせとならずに誤動作するおそれがある。
【０００８】
本発明は、このような点に鑑みなされたもので、光源と照明器具とを正しい組み合わせで正常に使用できる光源および照明器具を提供することを目的とする。
【課題を解決するための手段】
【０００９】
請求項１記載の光源は、半導体発光素子を有する直管形に形成され、その管軸方向の全長が、直管形蛍光ランプ１１０Ｗ形相当の場合には２３６７ｍｍ未満、１５００ｍｍ以上の範囲内にあり、直管形蛍光ランプ４０Ｗ形相当の場合には１１９８ｍｍ未満、１０００ｍｍ以上の範囲内にあり、直管形蛍光ランプ２０Ｗ形相当の場合には５８０ｍｍ未満、４３６ｍｍ以上の範囲内にあるものである。
【００１０】
半導体発光素子は、例えば、ＬＥＤ、有機ＥＬなどが含まれる。
【００１１】
光源は、例えば、透光性を有する円筒状で直管形の管体、この管体内に収容され基板に半導体発光素子を実装した発光モジュール、および管体の管軸方向の端部に設けられた電気的および機械的な接続部などを備えていてもよい。
【００１２】
光源の外形は、例えば、断面円形や断面多角形などのいずれでもよいが、直管形蛍光ランプと同径の断面円形とすることが、直管形蛍光ランプ用の照明器具との適合性が高く好ましい。また、光源の管軸方向の全長とは、管軸方向の両端にランプピンなどの突起物がある場合にはその突起物も含まれる。
【００１３】
光源の接続部は、直管形蛍光ランプと同様のランプピンでもよいし、別の電気的や機械的な接続構造でもよい。電気的な接続もする接続部は光源の管軸方向の少なくとも一方にあればよく、他方は支持のみに利用してもよい。
【００１４】
直管形蛍光ランプ１１０Ｗ形（ＦＬ１１０形、ＦＨＦ８６形）相当の光源は、管軸方向の全長が２３６７ｍｍ未満であり、１１０Ｗ形の直管形蛍光ランプの両端から突出するランプピンを含まない管長が２３６７ｍｍであるため、１１０Ｗ形の直管形蛍光ランプを使用する照明器具の一対のソケット間には寸法的に接続できず、また、管軸方向の全長が１５００ｍｍ以上であり、１１０Ｗ形の直管形蛍光ランプの次に短い高周波点灯専用形のＦＨＦ５０形の直管形蛍光ランプの両端から突出するランプピンを含まない管長が１４９８．５ｍｍであるため、高周波点灯専用形のＦＨＦ５０形の直管形蛍光ランプを使用する照明器具の一対のソケット間には寸法的に接続できない。
【００１５】
直管形蛍光ランプ４０Ｗ形（ＦＬ４０形、ＦＨＦ３２形）相当の光源は、管軸方向の全長が１１９８ｍｍ未満であり、４０Ｗ形の直管形蛍光ランプの両端から突出するランプピンを含まない管長が１１９８ｍｍであるため、４０Ｗ形の直管形蛍光ランプを使用する照明器具の一対のソケット間には寸法的に接続できず、また、管軸方向の全長が１０００ｍｍ以上であり、４０Ｗ形の直管形蛍光ランプの次に短い３５Ｗ形（ＦＬ３５形）の直管形蛍光ランプの両端から突出するランプピンを含まない管長が１０００ｍｍであるため、３５Ｗ形の直管形蛍光ランプを使用する照明器具の一対のソケット間には寸法的に接続できない。
【００１６】
直管形蛍光ランプ２０Ｗ形（ＦＬ２０形、ＦＨＦ１６形）相当の光源は、管軸方向の全長が５８０ｍｍ未満であり、２０Ｗ形の直管形蛍光ランプの両端から突出するランプピンを含まない管長が５８０ｍｍまたは５８８．５ｍｍであるため、２０Ｗ形の直管形蛍光ランプを使用する照明器具の一対のソケット間には寸法的に接続できず、また、管軸方向の全長が４３６ｍｍ以上であり、２０Ｗ形の直管形蛍光ランプの次に短い１５Ｗ形（ＦＬ１５形）の直管形蛍光ランプの両端から突出するランプピンを含まない管長が４３６ｍｍであるため、１５Ｗ形の直管形蛍光ランプを使用する照明器具の一対のソケット間には寸法的に接続できない。
【００１７】
なお、直管形蛍光ランプ１１０Ｗ形相当、直管形蛍光ランプ４０Ｗ形相当、および直管形蛍光ランプ２０Ｗ形相当の光源とは、管軸方向の長さや輝度などを含めて各種類の直管形蛍光ランプに相当する光源のことをいう。
【００１８】
また、直管形蛍光ランプ１１０Ｗ形相当、直管形蛍光ランプ４０Ｗ形相当、および直管形蛍光ランプ２０Ｗ形相当の３種類の光源について構成および全長を規定したが、例えば、３５Ｗ形相当、３２Ｗ形相当、３０Ｗ形相当、１５Ｗ形相当、１０Ｗ形相当、８Ｗ形相当、６Ｗ形相当、４Ｗ形相当などの直管形蛍光ランプ相当の光源についても同様に構成および全長を規定してもよい。
【００１９】
請求項２記載の照明器具は、請求項１記載の光源と；一対の光源取付手段を有し、一対の光源取付手段間に光源が接続される器具本体と；一対の光源取付手段間に接続された光源の半導体発光素子を点灯させる専用電源と；を具備しているものである。
【００２０】
光源取付手段は、例えば、ソケットであるが、ソケット以外の取付構造を用いてもよい。
【００２１】
この請求項２および以下の請求項３の発明において、特に指定しない限り用語の定義及び技術的意味は次のとおりである。
【００２２】
照明器具は、例えば、光源取付手段である一対のソケットを１組用いた１灯形の照明器具でも、一対のソケットを複数組用いた複数灯形の照明器具でもよい。
【００２３】
専用電源は、例えば、商用交流電源の投入により半導体発光素子に直流電力を供給できればどのような構成を備えていてもよく、その専用電源の構成を、器具本体のみに配置しても、光源内のみに配置してもよく、あるいは、器具本体と光源とに一部ずつ分けて配置してもよい。
【００２４】
ソケットから光源への電力供給は、例えば、一対のソケットの両方から行ってもよいし、一方のみから行ってもよい。一方のソケットのみから電力供給する場合には、他方のソケット側では光源の端部を支持するのみでもよく、あるいは、他方のソケットから例えば調光信号を光源に伝送し、光源に内蔵された調光回路によって半導体発光素子の点灯状態を調光するようにしてもよい。また、ソケットを利用せず、器具本体側に配置した非接触送電部から光源側に配置された非接触受電部に対して誘電結合などの方法により非接触で電力供給するようにしてもよい。
【００２５】
また、ソケットは光源の支持のみに使用し、光源に対しては別の給電方法を採用してもよい。
【００２６】
また、この請求項２の発明において、光源取付手段は、光源と適合する専用のソケットを用いてもよいし、直管形蛍光ランプ用のソケットを使用する場合にはそのソケットに光源を接続するための別のアダプタを用いてもよい。
【００２７】
請求項３記載の照明器具は、器具本体に配設された一対のソケットのうち、少なくとも一方のソケットに取り付けられるアダプタと；半導体発光素子を有し、一対のソケット間にアダプタを介して接続される直管形の光源と；一対のソケット間にアダプタを介して接続された光源の半導体発光素子を点灯させる専用電源と；を具備しているものである。
【００２８】
アダプタは、例えば、一対のソケットの一方のみに取り付け、このアダプタと他方のソケットとの間に光源を接続してもよいし、あるいは、両方に取り付け、両アダプタ間に光源を接続してもよい。
【００２９】
アダプタは、例えば、ソケットと光源とを電気的に接続するだけでもよいし、専用電源の全部あるいは一部を配置してもよく、その形状なども特に限定されない。
【００３０】
両方のソケットにアダプタを取り付ける場合において、一方のソケットのみから光源に電力供給する場合には、他方のソケットに取り付けるアダプタは光源の支持用として機能し、また、他方のソケットから例えば調光信号を光源に伝送する場合には、他方のソケットに取り付けるアダプタは光源の支持用および信号伝達用として機能する。
【００３１】
請求項４記載の照明器具は、請求項３記載の照明器具において、アダプタは、ソケットに対して取り外し不可とする状態に取り付けられているものである。
【００３２】
アダプタのソケットに対して取り外し不可とする状態とは、例えば、ねじ止めなどにより、簡単には取り外すことができない状態をいう。
【００３３】
請求項５記載の照明器具は、請求項２ないし４いずれか一記載の照明器具において、光源は、受電部、および受電部に供給される交流電力を直流電力に変換して半導体発光素子に供給する直流回路を有し、専用電源は、光源以外に配置されて交流電力を光源の受電部に供給するものである。
【００３４】
光源の受電部は、例えば、ランプピンであるが、他の受電構造でもよい。
【００３５】
光源の直流回路は、例えば、受電部に供給された交流電力を整流する整流回路、この整流回路の出力を平滑する平滑回路などを備えている。
【００３６】
専用電源から光源の受電部に供給する交流電力は、例えば、正弦波でも、矩形波でもよい。
【発明の効果】
【００３７】
請求項１記載の光源によれば、半導体発光素子を有する光源の全長を、相当する直管形蛍光ランプの管長より短く、相当する直管形蛍光ランプの次に短い種類の直管形蛍光ランプの管長より長くしているため、この光源を直管形蛍光ランプ用の照明器具には寸法的に接続できず、この光源と適合する照明器具との正しい組み合わせでのみ正常に使用することができる。
【００３８】
請求項２記載の照明器具によれば、一対の光源取付手段間には、請求項１記載の光源のみが接続可能で、直管形蛍光ランプは寸法的に接続できず、この照明器具に適合する光源との正しい組み合わせで正常に使用することができ、専用電源により効率よく光源を点灯させることもできる。
【００３９】
請求項３記載の照明器具によれば、一対のソケット間には、アダプタを介して半導体発光素子を有する光源のみが接続可能で、直管形蛍光ランプは寸法的に接続できず、この照明器具に適合する光源との正しい組み合わせで正常に使用することができ、専用電源により効率よく光源を点灯させることもできる。
【００４０】
請求項４記載の照明器具によれば、請求項３記載の照明器具の効果に加えて、アダプタがソケットに対して取り外し不可とする状態に取り付けられているため、不用意にアダプタが取り外されて直管形蛍光ランプが接続されるようになるのを防止できる。
【００４１】
請求項５記載の照明器具によれば、請求項２ないし４いずれか一記載の照明器具の効果に加えて、光源以外に配置された専用電源から交流電力を光源の受電部に供給し、この光源の受電部に供給された交流電力を光源の直流回路で直流電力に変換して半導体発光素子に供給するため、光源内の回路中の各接続部の着脱、接触不良、断線などによって回路中にアークが発生した場合でも、交流電力が１サイクル毎に電圧が０Ｖになることでアークの継続を防止できる。
【図面の簡単な説明】
【００４２】
【図１】本発明の第１の実施の形態を示す照明器具の説明図である。
【図２】同上照明器具の斜視図である。
【図３】(a)は同上照明器具の光源の側面図、(b)は一対のソケットおよびアダプタ間に接続した光源の側面図、(c)は一対のソケットに接続した直管形蛍光ランプの側面図である。
【図４】同上光源の種類毎の全長の範囲を示す表である。
【図５】主な直管形蛍光ランプの種類毎のランプピンを含まない管長を示す表である。
【図６】本発明の第２の実施の形態を示す照明器具の説明図である。
【図７】本発明の第３の実施の形態を示す照明器具の説明図である。
【図８】同上照明器具の斜視図である。
【図９】本発明の第４の実施の形態を示す照明器具の説明図である。
【発明を実施するための形態】
【００４３】
以下、本発明の実施の形態を、図面を参照して説明する。
【００４４】
まず、図１ないし図５を参照して、第１の実施の形態について説明する。
【００４５】
図２において、照明器具11は、天井直付け形照明器具で、天井に設置される図示しない本体部およびこの本体部に取り付けられる逆富士形の反射体12を有する器具本体13、この器具本体13の両端に互いに対向して配設された一対の光源取付手段としてのソケット14、これら各ソケット14に取り付けられた一対のアダプタ15、一対のソケット14間にアダプタ15を介して接続される直管形の光源としての直管形ＬＥＤランプ16、およびこの直管形ＬＥＤランプ16に電力を供給して直管形ＬＥＤランプ16を点灯させる専用電源（点灯回路）17を備えている。この照明器具11は、２灯用であり、一対のソケット14が２組用いられ、２本の直管形ＬＥＤランプ16が使用される。
【００４６】
本実施の形態の照明器具11は、直管形蛍光ランプを使用する既設の照明器具構造の器具本体13およびソケット14をそのまま使用し、直管形ＬＥＤランプ16および専用電源17を使用する照明器具11としてリニューアルするものである。あるいは、直管形ＬＥＤランプ16および専用電源17を使用する照明器具11を新規に設置する場合でも、直管形蛍光ランプを使用する既存の照明器具構造の器具本体13およびソケット14を流用し、直管形ＬＥＤランプ16および専用電源17を使用する照明器具11として設置するものである。
【００４７】
そのため、図３(c)に示すように、アダプタ15が取り付けられていない一対のソケット14間の間隔Ｂ1は、直管形蛍光ランプ１の発光管２の両端に配設された口金３から突出する一対のランプピン４を含まない管長Ｌ1、つまり両端の口金３の外端面間の管長Ｌ1と同じ寸法となっている。
【００４８】
また、図１、図２および図３(a)(b)に示すように、直管形ＬＥＤランプ16は、例えば、透光性を有する円筒状で直管形の管体21、この管体21内に収容された発光モジュール22、および管体21の両端に設けられた接続部23を備えている。
【００４９】
管体21は、透光性および拡散性を有するガラスや樹脂によって円筒状に形成され、両端には接続部23を有する口金24が設けられている。
【００５０】
発光モジュール22は、管体21の管軸方向に沿って細長い基板（図示せず）、およびこの基板の長手方向に沿って実装された複数の半導体発光素子としてＬＥＤ25を備えている。基板を平板状とし、その基板の一面にＬＥＤ25を実装して、主に管体21の所定の方向から光が放射されるようにしてもよいし、あるいは、基板を多角形の筒状とし、その基板の周面にＬＥＤ25を実装して、管体21の全周から光が放射されるようにしてもよい。ＬＥＤ25は、例えば、青色光を発光するＬＥＤチップが、青色光で励起されて黄色光を放出する蛍光体を含有した透明樹脂で封止されており、この透明樹脂の表面から白色系の光が放射される。
【００５１】
接続部23は、アダプタ15に対して接続されるもので、管体21の両端に設けられる口金24から、直管形蛍光ランプ１のランプピン４と同様の受電部としての一対のランプピン26が突設されている。なお、接続部23は、一対のランプピン26に限らず、１本のランプピンでもよく、あるいは他の構成でもよく、アダプタ15に対して電気的接続や支持が可能であればどのような構成でも構わない。
【００５２】
そして、図４に示すように、直管形ＬＥＤランプ16は、直管形蛍光ランプ１１０Ｗ形（ＦＬ１１０形、ＦＨＦ８６形）相当、直管形蛍光ランプ４０Ｗ形（ＦＬ４０形、ＦＨＦ３２形）相当、直管形蛍光ランプ２０Ｗ形（ＦＬ２０形、ＦＨＦ１６形）相当の少なくとも３種類がある。
【００５３】
図３に示すように、直管形ＬＥＤランプ16の管軸方向の全長Ｌ2は、管体21の両端から突出する突起物である接続部23のランプピン26を含む全長Ｌ2であり、相当する直管形蛍光ランプ１のランプピン４を含まない管長Ｌ1および一対のソケット14間の間隔Ｂ1より短く、相当する直管形蛍光ランプ１の次に短い直管形蛍光ランプ１のランプピン４を含まない管長Ｌ1より長く形成されている。また、直管形ＬＥＤランプ16の管軸方向の管体21の長さＬ3は、一対のソケット14に取り付けられた一対のアダプタ15間の間隔Ｂ2と同じ寸法となっている。なお、図５には、主な直管形蛍光ランプ１の種類毎のランプピン４を含まない管長を示す。
【００５４】
そして、直管形蛍光ランプ１１０Ｗ形（ＦＬ１１０形、ＦＨＦ８６形）相当の直管形ＬＥＤランプ16は、管軸方向の全長Ｌ2を２３６７ｍｍ未満、１５００ｍｍ以上の範囲としている。
【００５５】
１１０Ｗ形の直管形蛍光ランプ１の管長Ｌ1が２３６７ｍｍであるため、１１０Ｗ形の直管形蛍光ランプ１を使用する照明器具の一対のソケット間には、その一対のソケット間の間隔Ｂ1よりも全長Ｌ2が短い直管形ＬＥＤランプ16を接続することができない。また、１１０Ｗ形の直管形蛍光ランプ１の次に短い高周波点灯専用形のＦＨＦ５０形の直管形蛍光ランプ１の管長Ｌ1が１４９８．５ｍｍであるため、ＦＨＦ５０形の直管形蛍光ランプ１を使用する照明器具の一対のソケット間には、その一対のソケット間の間隔Ｂ1よりも全長Ｌ2が長い直管形ＬＥＤランプ16を接続することができない。
【００５６】
言い換えれば、直管形蛍光ランプ１１０Ｗ形相当の直管形ＬＥＤランプ16に適合した照明器具11の一対のアダプタ15間には、その一対のアダプタ15間の間隔Ｂ2より管長Ｌ1が長い１１０Ｗ形（ＦＬ１１０形、ＦＨＦ８６形）の直管形蛍光ランプ１を寸法的に接続できないとともに、一対のアダプタ15間の間隔Ｂ2より管長Ｌ1の短いＦＨＦ５０形の直管形蛍光ランプ１を寸法的に接続できない。
【００５７】
また、直管形蛍光ランプ４０Ｗ形（ＦＬ４０形、ＦＨＦ３２形）相当の直管形ＬＥＤランプ16は、管軸方向の全長Ｌ2を１１９８ｍｍ未満、１０００ｍｍ以上の範囲としている。
【００５８】
４０Ｗ形の直管形蛍光ランプ１の管長Ｌ1が１１９８ｍｍであるため、４０Ｗ形の直管形蛍光ランプ１を使用する照明器具の一対のソケット間には、その一対のソケット間の間隔Ｂ1よりも全長Ｌ2が短い直管形ＬＥＤランプ16を接続することができない。また、４０Ｗ形の直管形蛍光ランプ１の次に短い３５Ｗ形（ＦＬ３５形）の直管形蛍光ランプ１の管長Ｌ1が１０００ｍｍであるため、３５Ｗ形の直管形蛍光ランプ１を使用する照明器具の一対のソケット間には、その一対のソケット間の間隔Ｂ1よりも全長Ｌ2が長い直管形ＬＥＤランプ16を接続することができない。
【００５９】
言い換えれば、直管形蛍光ランプ４０Ｗ形相当の直管形ＬＥＤランプ16に適合した照明器具11の一対のアダプタ15間には、その一対のアダプタ15間の間隔Ｂ2より管長Ｌ1が長い４０Ｗ形（ＦＬ４０形、ＦＨＦ３２形）の直管形蛍光ランプ１を寸法的に接続できないとともに、一対のアダプタ15間の間隔Ｂ2より管長Ｌ1の短い３５Ｗ形（ＦＬ３５形）の直管形蛍光ランプ１を寸法的に接続できない。
【００６０】
また、直管形蛍光ランプ２０Ｗ形（ＦＬ２０形、ＦＨＦ１６形）相当の直管形ＬＥＤランプ16は、管軸方向の全長Ｌ2を５８０ｍｍ未満、４３６ｍｍ以上の範囲としている。
【００６１】
２０Ｗ形の直管形蛍光ランプ１の管長Ｌ1が５８０ｍｍまたは５８８．５ｍｍであるため、２０Ｗ形の直管形蛍光ランプ１を使用する照明器具の一対のソケット間には、その一対のソケット間の間隔Ｂ1よりも全長Ｌ2が短い直管形ＬＥＤランプ16を接続することができない。また、２０Ｗ形の直管形蛍光ランプ１の次に短い１５Ｗ形（ＦＬ１５形）の直管形蛍光ランプ１の管長Ｌ1が４３６ｍｍであるため、１５Ｗ形の直管形蛍光ランプ１を使用する照明器具の一対のソケット間には、その一対のソケット間の間隔Ｂ1よりも全長Ｌ2が長い直管形ＬＥＤランプ16を接続することができない。
【００６２】
言い換えれば、直管形蛍光ランプ２０Ｗ形相当の直管形ＬＥＤランプ16に適合した照明器具11の一対のアダプタ15間には、その一対のアダプタ15間の間隔Ｂ2より管長Ｌ1が長い２０Ｗ形（ＦＬ２０形、ＦＨＦ１６形）の直管形蛍光ランプ１を寸法的に接続できないとともに、一対のアダプタ15間の間隔Ｂ2より管長Ｌ1の短い１５Ｗ形（ＦＬ１５形）の直管形蛍光ランプ１を寸法的に接続できない。
【００６３】
また、アダプタ15は、例えば、絶縁性を有する合成樹脂によって円筒状に形成され、外側端部には、直管形蛍光ランプ１のランプピン４と同様にソケット14に電気的に接続されるとともに支持される一対のピン28が突設され、また、内側端部には、直管形ＬＥＤランプ16の接続部23の一対のランプピン26を電気的に接続するとともに支持する一対の端子や支持構造などが設けられている。
【００６４】
アダプタ15は、ソケット14に対して取り外し不可とする状態に取り付けられている。このアダプタ15のソケット14に対して取り外し不可とする状態とは、例えば、ねじ止めなどにより、簡単には取り外すことができない状態をいう。
【００６５】
直管形ＬＥＤランプ16の管軸方向に対応した方向のアダプタ15の幅寸法は、（一対のソケット14間の間隔Ｌ1）−（直管形ＬＥＤランプ16の管体21の長さＬ3）／２とされている。
【００６６】
なお、一対のアダプタ15間には、直管形ＬＥＤランプ16を着脱可能に構成してもよい。
【００６７】
また、図１に示すように、商用交流電源Ｅを供給する一対の電源線31が器具本体13内を通じて各ソケット14に接続され、各ソケット14から各アダプタ15を通じて直管形ＬＥＤランプ16の両端のランプピン26に供給される。なお、図１には、一方の直管形ＬＥＤランプ16のみを示すが、他方の直管形ＬＥＤランプ16についても同様である。
【００６８】
この場合、専用電源17は直管形ＬＥＤランプ16内に配置されており、交流電力が供給される両端のランプピン26と専用電源17の入力側とが内部配線32で接続され、専用電源17の直流電力出力側に発光モジュール22の複数のＬＥＤ25に直列に接続されている。なお、直管形ＬＥＤランプ16の各端部の一対のランプピン26のうち、一方が電力供給用および支持用とで兼用され、他方は支持専用とされている。
【００６９】
専用電源17は、交流電力を直流電力に変換してＬＥＤ25に供給し、ＬＥＤ25を発光させることができれば、回路構成は特に限定されるものではなく、どのような回路構成を用いてもよい。
【００７０】
このように構成された直管形ＬＥＤランプ16は、全長Ｌ2を、相当する直管形蛍光ランプ１の管長Ｌ1より短く、相当する直管形蛍光ランプ１の次に短い種類の直管形蛍光ランプ１の管長Ｌ1より長くしているため、この直管形ＬＥＤランプ16を直管形蛍光ランプ１用の照明器具には寸法的に接続できず、この直管形ＬＥＤランプ16と適合する照明器具11との正しい組み合わせでのみ正常に使用することができる。
【００７１】
この直管形ＬＥＤランプ16と適合する照明器具11では、一対のソケット14間には、アダプタ15を介して直管形ＬＥＤランプ16のみが接続可能で、直管形蛍光ランプ１はいずれの種類も寸法的に接続できず、適合する直管形ＬＥＤランプ16との正しい組み合わせで正常に使用することができ、そして、専用電源17により効率よく直管形ＬＥＤランプ16を点灯させることもできる。
【００７２】
また、アダプタ15がソケット14に対して取り外し不可とする状態に取り付けられているため、不用意にアダプタ15が取り外されて直管形蛍光ランプ１が接続されるようになるのを防止できる。
【００７３】
また、直管形ＬＥＤランプ16の両端から交流電力を供給するため、照明器具11の一対のソケット14間に接続する直管形ＬＥＤランプ16には方向性がなく、設置作業性を容易にできる。
【００７４】
次に、図６を参照して、第２の実施の形態を説明する。
【００７５】
図１に示す第１の実施の形態の直管形ＬＥＤランプ16に対して、商用交流電源Ｅを供給する一対の電源線31が一方のソケット14に接続され、商用交流電源Ｅからの交流電力が直管形ＬＥＤランプ16の一方の口金24の一対のランプピン26から専用電源17に供給される。
【００７６】
これにより、器具本体13内での電源線31の引き回しが簡素化され、施工作業性を向上できる。
【００７７】
また、直管形ＬＥＤランプ16の他方の口金24の一対のランプピン26はアダプタ15に接続されるが、電気的な接続はなされず、支持のみの働きとなる。
【００７８】
なお、この場合、一対のソケット14間に対して、直管形ＬＥＤランプ16の接続の方向性が生じるため、直管形ＬＥＤランプ16の他方の口金24などに誤接続を防止する手段を採用することが好ましい。
【００７９】
この場合、電力供給する一方のソケット14にはアダプタ15を取り付けず、他方のソケット14にアダプタ２つ分の管軸方向の長さを有する支持用のアダプタ15を取り付けてもよい。この場合には、一方のソケット14と他方のソケット14に取り付けられたアダプタ15との間に直管形ＬＥＤランプ16が接続される。
【００８０】
次に、図７および図８を参照して、第３の実施の形態を説明する。
【００８１】
図１に示す第１の実施の形態の直管形ＬＥＤランプ16に対して、専用電源17が器具本体13内に配置され、この専用電源17の入力側に電源線31が接続され、専用電源17の出力側と各ソケット14とが接続線35で接続されている。
【００８２】
専用電源17は、例えば、商用交流電源Ｅからの交流電力を整流して直流電力とする直流電源回路、直流電力を所望の電圧に変換するチョッパ回路などを含むＤＣ−ＤＣコンバータ、所望の電圧に変換した直流電力を交流電力に変換するＤＣ−ＡＣコンバータを備え、交流正弦波または交流矩形波の交流電力をソケット14およびアダプタ15を通じて直管形ＬＥＤランプ16のランプピン26に供給する。
【００８３】
この場合、直管形ＬＥＤランプ16内には、専用電源17からランプピン26に供給された交流電力を直流電力に変換してＬＥＤ25に供給する直流回路としての整流平滑回路36が配置される。
【００８４】
このように、専用電源17を器具本体13側に配置することにより、直管形ＬＥＤランプ16を安価に構成でき、直管形ＬＥＤランプ16の交換時の費用的な負担を低減でき、また、専用電源17がＬＥＤ25から熱的影響を受けるのを低減でき、専用電源17の信頼性や寿命を向上でき、しかも、直管形ＬＥＤランプ16内の回路中の各接続部分の着脱、接触不良、断線などによって回路中にアークが発生した場合でも、直管形ＬＥＤランプ16に供給する交流電力が１サイクル毎に電圧が０Ｖになることでアークの継続を防止できる。
【００８５】
次に、図９を参照して、第４の実施の形態を説明する。
【００８６】
図７に示す第３の実施の形態の直管形ＬＥＤランプ16に対して、専用電源17から交流電力を供給する一対の接続線35が一方のソケット14に接続され、専用電源17から交流電力が直管形ＬＥＤランプ16の一方の口金24の一対のランプピン26から整流平滑回路36に供給される。
【００８７】
専用電源17は、例えば、外部からの指令を受けて調光信号などの信号を直管形ＬＥＤランプ16へ出力する機能を有し、この専用電源17から信号を伝送する一対の信号線39が他方のソケット14に接続され、専用電源17からの信号が直管形ＬＥＤランプ16の他方の口金24の一対のランプピン26から直管形ＬＥＤランプ16内に配置される制御回路40に伝送される。
【００８８】
制御回路40は、信号を入力してＬＥＤ25を制御するもので、信号が調光信号の場合には、整流平滑回路36とともに直管形ＬＥＤランプ16内に配置される調光回路41を制御してＬＥＤ25を調光させる。
【００８９】
この照明器具11では、調光機能などの機能を付加することができる。また、器具本体13内での接続線31と信号線39とが必然的に分かれるため、器具本体13内での接続線31と信号線39の引き回しが簡素化され、施工作業性を向上できる。
【００９０】
なお、この照明器具11の場合、一対のソケット14間に対して、直管形ＬＥＤランプ16の接続の方向性が生じるため、直管形ＬＥＤランプ16の誤接続を防止する手段を直管形ＬＥＤランプ16側やアダプタ15側に採用することが好ましい。
【００９１】
この場合、電力供給する一方のソケット14にはアダプタ15を取り付けず、他方のソケット14にアダプタ２つ分の管軸方向の長さを有する信号用のアダプタ15を取り付けてもよい。この場合には、一方のソケット14と他方のソケット14に取り付けられたアダプタ15との間に直管形ＬＥＤランプ16が接続される。
【００９２】
なお、照明器具11は、前記実施の形態のような天井直付け形照明器具に限らず、埋込形照明器具などでもよく、直管形蛍光ランプを使用する照明器具であればいずれにも適用できる。
【符号の説明】
【００９３】
11    照明器具
13    器具本体
14    光源取付手段としてのソケット
15    アダプタ
16    光源としての直管形ＬＥＤランプ
17    専用電源
25    半導体発光素子としてＬＥＤ
26    受電部としてのランプピン
36    直流回路としての整流平滑回路
【図１】
2011108376.tif 000003
【図２】
2011108376.tif 000004
【図３】
2011108376.tif 000005
【図４】
2011108376.tif 000006
【図５】
2011108376.tif 000007
【図６】
2011108376.tif 000008
【図７】
2011108376.tif 000009
【図８】
2011108376.tif 000010
【図９】
2011108376.tif 000011